(57)【要約】【課題】  ポートレート投射を行うときは、プロジェクタを投射レンズ光軸に対して90°回転させるが、するとランプ軸が垂直方向を向き寿命が著しく低下する。【解決手段】  プロジェクタを投射レンズ光軸に対して90°回転させても、ランプ軸が水平のままでいるランプユニットに交換可能とする。【選択図】  図３
2018031936.tif 000002
【特許請求の範囲】
【請求項１】
発光部と
反射部と
発光部と反射部からなる光源と、
光源を交換可能な投射表示装置において、
反射部の光学的光軸方向と直交する方向に光源の発光軸が配置された光源ユニットに交換可能な投射型表示装置。
【請求項２】
請求項1において、
反射部は２体化されていることを特徴とした投射型表示装置。
【請求項３】
請求項２において、
反射部は前後に２体化さていることを特徴とした投射型表示装置。
【請求項４】
請求項２において、
発光部は上下に２体化されていることを特徴とした投射型表示装置。
【請求項５】
請求項１において
光源に光源の発光軸の方向を告知する手段を設けたことを特徴とした投射型表示装置。
【請求項６】
請求項５において
発光軸の方向を告知する手段が、電気通信方式であることを特徴とした投射型表示装置。
【請求項７】
請求項５において、光源の発光軸の方向を告知する手段からの情報に基づき、光源の冷却条件を変動させることを特徴とした投射型表示装置。
【発明の詳細な説明】
【技術分野】
【０００１】
本発明は、プロジェクタなど高圧水銀ランプを有する投射型画像表示装置に関するものである。
【背景技術】
【０００２】
最近プロジェクタは、宣伝やアミューズメントショーなど様々なところで使用されはじめている。今までは、机上に置く据置きか、天井に取り付ける天吊りがほとんどであったが、ポートレート投射という使用方法がある。これは画質を損なうことなく縦長の画像を投射する手法で、縦長の写真画像をそのまま投射することから、一般的にポートレート投射と呼ばれている。
【先行技術文献】
【特許文献】
【０００３】
【特許文献１】特開2012-3257号公報
【発明の概要】
【発明が解決しようとする課題】
【０００４】
据置き姿勢の場合、ランプ光軸は水平状態であり、天吊り姿勢の場合も天地は逆となるが、ランプ光軸は水平状態となっている。また上向き、下向きの場合も光学系によるが、ランプ光軸は水平状態である。このランプ光軸が水平の場合は問題ないのだが、前述のようにポートレート投射の場合は、プロジェクタ本体を投射レンズ光軸に対して90°回転させた状態にする。この状態では光学系によるが、たいていの場合ランプ光軸が垂直方向を向いてしまい、ランプ寿命が著しく短くなってしまうという問題がある。
【０００５】
ポートレート投射は、前述する問題があるので一般的なプロジェクタではできるだけ避けるべき使用方法であるが、一部のユーザーはランプ寿命が短くなることを覚悟で使用している。また電極とアーク放電に頼らないLEDやレーザーを光源としたプロジェクタではこの問題が発生しないが、明るさが足りずショーなどの必要とされるシチュエーション環境条件を満たすのは難しい。
【０００６】
また、特許文献１では、ランプを２個搭載している。この２つのランプは、ランプ光軸が直交するように配置され、通常使用時と、ポートレート時で切り替えるようになっている。しかしながら前記従来例では、一般使用のユーザーにとっても、ポートレート使用のユーザーにとっても、一方は不要となるランプを余分に搭載しているため、装置の大型化と高コストとなってしまうという問題があった。
【課題を解決するための手段】
【０００７】
ランプリフレクタの回転中心軸に対して、ランプ軸を90°回転させたランプユニットを、交換ランプとして準備する。
【発明の効果】
【０００８】
本発明によれば、据え置き、天吊り、上向き、下向きの通常使用もでき、ランプユニットを交換するだけで、装置の大型化と高コストを避け、かつ長寿命のままでポートレート投射を行うことができる。
【図面の簡単な説明】
【０００９】
【図１】ランプユニットの外観図
【図２】ランプユニットの分解図
【図３】ランプの外観図
【図４】ランプの分解図（前後）
【図５】ランプの分解図（上下）
【図６】プロジェクタ装置外観図
【図７】プロジェクタ装置内部を示す図
【図８】プロジェクタ装置内部を示しランプバルブを露出させた図（据え置き投射）
【図９】プロジェクタ装置内部を示しランプバルブを露出させた図（ポートレート投射）
【図１０】据え置きでの通常投射状態を示す図
【図１１】ポートレート投射状態を示す図
【発明を実施するための形態】
【００１０】
以下に、本発明の好ましい実施の形態を、添付の図面に基づいて詳細に説明する。図１は、本発明の実施形態にかかわるランプユニットを示す外観図である。１は光源のランプで、超高圧水銀ランプなど高輝度を実現できるものである。２は光学的作用とランプ破裂時のバルブ飛散を防止するための防爆ガラス。３は１のランプと２防爆ガラスを包含保持するホルダー。４は２の防爆ガラスを３のホルダーに固定するための防爆ガラス押えバネ。５は１のランプを３のホルダーの固定するためのランプ押えバネ。６はランプの電気端子線であるコード。７は６のコードに繋がるコネクタで３のホルダーに固定されている。
【００１１】
［実施例１］
図２から図４と図６から図１１を用いて実施例１について説明する。図２は図１のランプユニットを分解した状態を示すものである。１のランプは本発明の特徴となる形態であるが、その他の構成部品は一般的なランプユニットの構成とかわらない。図３に本発明の特徴となるランプの図がある。１のランプは１Ｒのリフレクタと１Ｖのバルブから構成されている。このバルブのランプ軸は1Ｒのリフレクタの光学的光軸方向に対して直交した配置となっている。ランプ軸とはバルブ内にある陰極と陽極を結ぶ方向のことでありバルブの球体から延長される棒状部の伸びている方向となる。
【００１２】
またリフレクタの光学的光軸方向とは、１のバルブから出されたアークからの光が進む方向のことである。リフレクタは中心線に対して回転させた反射面を形状を有するが、この中心線が光学的光軸方向となる。図４においては１のランプをさらに分解した状態を示している。１Ｖのバルブから出た電極端子を１Ｒのリフレクタの外に出すことと、１Ｒのリフレクタに対して、１Ｖを固着固定するためには、１Ｒのリフレクタに穴が空いていてそこを１Ｖのリバルブが貫通している必要があり、これを示したのが図４である。１ＲＦのリフレクタフロントと、１ＲＲのリフレクタリアの２つに分かれていることで、１Ｖのバルブを挟み込み固着固定するものである。このようにリフレクタ２分化することでバルブを内包可能としている。
【００１３】
図６はプロジェクタ装置全体を示す図であり、８は投射レンズである。９はカバートップで、１０はカバーボトムである。図７は、図６から９のカバートップを取り外した状態を示すもので、今回発明の説明に必要な構成要素のみを抜粋して図としている。本来であれば、電源、バラスト、信号基板、冷却ファン、ハーネスなど様々の構成要素が包含されているのがだが割愛している。１１は１の光源から出された光を分光して、不図示であるが液晶パネル等の画像形成素子を経て再び合成するための光学エンジンである。１１の光学エンジンから出された光は８の投射レンズで拡大されてスクリーンに投射される。
【００１４】
図８は、図７から１Ｒのリフレクタを一部除去して示した図であるが、据え置き状態で、ランプ軸が水平であることを示している。紙面下側を底面とした場合底面は床面と平行で、ランプ軸も床面と平行であり、すなわちランプ軸は水平ということを示している。
【００１５】
ここで図１０が一般的な据え置き状態を示す。広い面を底面となるように机上等に配置した状態である。この状態では一般的な横長の画像が投射され、一般的な投射状態である。一方図１１がポートレート投射を示す図であり、プロジェクタ本体を８の投射レンズ光軸を中心に９０°回転させている。これにより投射画像も縦長になり、写真撮影にて一人の被写体を中心に撮影されたいわゆるポートレート画像をそのまま投射した状態である。装置短辺の狭い面を底面とした状態でもある。図９は、図８の据え置き状態のものをポートレート状態にしたときの図である。この状態でも１Ｖのバルブは地面と平行であり、ランプ軸が水平であることを示している。
【００１６】
このように本発明のランプユニットにおいては投射レンズ光軸を中心にプロジェクタ本体を回転させてもランプ軸が水平であることがわかる。そしてこのランプユニットを通常のリフレクタの光学光軸と平行なバルブを備えたランプユニットに交換することで、通常のランプユニット状態に戻すことも可能となる。
【００１７】
また不図示ではあるが、ランプユニットには通常用のランプユニットなのかポートレート対応のランプユニットかを判別できるようにICメモリやROMを搭載し、対応するプロジェクタ本体には、ランプユニットが通常用のものかポートレート対応のものか判別する手段も設けており、自動的に冷却条件をも変えるものである。これによりポートレート状態においても最適な冷却条件にできるので、より長寿命化が実現できる。
【００１８】
［実施例２］
図５はその他の実施例を示す図である。５は実施例１内と同様のバルブである。１ＲＴはリフレクタを上下に分割うちの上部分でリフレクタトップである。１ＲＢはリフレクタを上下に分割うちの下部分でリフレクタボトムである。このようにリフレクタを分割することで、バルブを内包可能とするものである。
【００１９】
実施例１と実施例２の違いは、リフレクタの分割方法による違いであるが、バルブをリフレクタ内に内包できれば他の方法でも良い。但しこのバルブのランプ軸はリフレクタの光学的光軸方向に対して直交した配置となっている。
【符号の説明】
【００２０】
1、ランプ
2、防爆ガラス
3、ホルダー
4、防爆ガラス押えバネ
5、ランプ押えバネ
6、コード
7、コネクタ
8、投射レンズ
9、カバートップ
10、カバーボトム
11、光学エンジン
【図１】
2018031936.tif 000003
【図２】
2018031936.tif 000004
【図３】
2018031936.tif 000005
【図４】
2018031936.tif 000006
【図５】
2018031936.tif 000007
【図６】
2018031936.tif 000008
【図７】
2018031936.tif 000009
【図８】
2018031936.tif 000010
【図９】
2018031936.tif 000011
【図１０】
2018031936.tif 000012
【図１１】
2018031936.tif 000013